(57)【要約】【課題】  容易に大型の土嚢を能率良く形成することができ、早急に土留めを形成できると共に、長期的には施工後の緑化を図ることができ、さらには積み上げた土嚢の安定化を図ることができる緑化土嚢袋とその緑化土嚢袋を用いた緑化土嚢の形成方法を提供すること、さらには土留および緑化の方法を提供すること。【解決手段】  植物が通芽可能な目合いを有し土砂を投入するのに必要な強度を備える袋用ネット１１を用いて形成された袋本体３、および、植物が通芽可能な目合いを有する基材ネット１５ａまたは基材ネット１５ａと植物の通芽が可能なシート１５ｂからなり前記袋本体の内側面に沿うように配置させた基布１５の内側面に植物種子１６を分散保持させた植生シート４を備えるとともに、前記袋本体３は吊り上げ用の吊りベルト１３を備え、内部に土砂２２を投入することにより自立可能な土嚢２を形成できるように構成されている。【選択図】図１
2015232265.tif 000002
【特許請求の範囲】
【請求項１】
植物が通芽可能な目合いを有し土砂を投入するのに必要な強度を備える袋用ネットを用いて形成された袋本体、および、
植物が通芽可能な目合いを有する基材ネットまたは基材ネットと植物の通芽が可能なシートからなり前記袋本体の内側面に沿うように配置させた基布の内側面に植物種子を分散保持させた植生シートを備えるとともに、
前記袋本体は吊り上げ用の吊りベルトを備え、
内部に土砂を投入することにより自立可能な土嚢を形成できるように構成されたことを特徴とする緑化土嚢袋。
【請求項２】
前記植生シートは、植物種子の内側面を覆うように植物が通根可能な保護シートを固着してなる請求項１に記載の緑化土嚢袋。
【請求項３】
前記植生シートは袋本体の開口縁部においてのみ、脱落可能に固定してある請求項１または請求項２に記載の緑化土嚢袋。
【請求項４】
請求項３に記載の緑化土嚢袋を用いた緑化土嚢の形成方法であって、重機を用いて土砂を投入する際に、前記植生シートに過大な力がかかるときには、袋本体の開口縁部においてのみ脱落可能に固定してある固定箇所から植生シートが脱落し、それにより植生シートの捩れや皺等による変形が生じにくくなることを特徴とする緑化土嚢の形成方法。
【請求項５】
請求項１〜請求項３のいずれか一項に記載の緑化土嚢袋を用いて形成された緑化土嚢、または請求項４に記載の緑化土嚢の形成方法により形成された緑化土嚢を、吊ベルトを介して吊り上げて法面の所定の位置または河川堤防の所定の位置に設置することを特徴とする土留および緑化の方法。
【発明の詳細な説明】
【技術分野】
【０００１】
本発明は、法面などの土留めまたは土塁の形成に用いることができ、かつ、施工後の緑化を図ることができる緑化土嚢袋とその緑化土嚢袋を用いた緑化土嚢の形成方法に関するものであり、さらには、土留および緑化の方法に関するものである。
【背景技術】
【０００２】
今日土砂災害などの自然災害が増加しており、法面などの崩落が発生することがある。このような場合崩落部分が広がらないように、あるいは未然に防ぐ応急的な保護を行なうために、土嚢袋を用いることが行なわれている。
【０００３】
特許文献１には、垂直方向に貫通孔を備える土嚢を縦方向に積み上げることにより短期間の施工で本設構造物としての十分な耐力を得ることができる土留工法が記載されている。また、特許文献２には、剛性材料からなる補強具を略水平方向に敷設した容器に土砂類を充填して大型土嚢を形成し、この土嚢を連続的に並列して土塁を形成する盛土の形成方法が記載されている。
【０００４】
上述のような、土嚢によって形成された土塁や土留は十分な強度を備えるものであることから、そのまま放置されることがあった。放置された土嚢は劣化によって破損するなどして土砂が溢れ出すことが考えられる。そこで、そのまま放置されることを見越して、耐候性を備えた土嚢袋を用いて大型土嚢を形成することが行なわれている。
【先行技術文献】
【特許文献】
【０００５】
【特許文献１】特開２０１０−２０３１１４号公報
【特許文献２】特開平６−５７７５２号公報
【発明の概要】
【発明が解決しようとする課題】
【０００６】
しかしながら、長期間にわたって土嚢が並べられた状態は景観を損ねるものであり、改善の余地があった。
【０００７】
本発明は上述の事柄を考慮に入れてなされたものであり、容易に大型の土嚢を能率良く形成することができ、早急に土塁や土留めを形成できると共に、長期的には施工後の緑化を図ることができ、さらには積み上げた土嚢の安定化を図ることができる緑化土嚢袋とその緑化土嚢袋を用いた緑化土嚢の形成方法を提供すること、さらには土留および緑化の方法を提供することを目的とする。
【課題を解決するための手段】
【０００８】
本発明は、植物が通芽可能な目合いを有し土砂を投入するのに必要な強度を備える袋用ネットを用いて形成された袋本体、および、
植物が通芽可能な目合いを有する基材ネットまたは基材ネットと植物の通芽が可能なシートからなり前記袋本体の内側面に沿うように配置させた基布の内側面に植物種子を分散保持させた植生シートを備えるとともに、
前記袋本体は吊り上げ用の吊りベルトを備え、
内部に土砂を投入することにより自立可能な土嚢を形成できるように構成されたことを特徴とする緑化土嚢袋を提供する。（請求項１）
【０００９】
前記袋本体は、土砂を投入するのに必要な強度を備えるものであり、植物が通芽可能な目合いの袋用ネットを用いて形成されるので、袋本体の中に土砂を投入したときにこれを収容することができ、かつ、植物種子が発芽したときに通芽を妨げることがない。袋本体は例えば円形又は矩形の底部と、この底部の外周に連設された側面部を有する形状であり、さらに、袋本体は底部から連接して設けた吊り上げ用の吊りベルトを備える。そして、緑化土嚢を、吊りベルトを介して吊り上げて法面の所定の位置または河川堤防の所定の位置に設置することができるので、早急に土留めや土塁を形成できる。
【００１０】
なお、袋用ネットの目合いは、１ｍｍ〜１５ｍｍが好ましく、３ｍｍ〜８ｍｍがより好ましい。袋用ネットの目合いが３ｍｍよりも小さい場合は植物の通芽を妨げやすくなるおそれがあり、一方、袋用ネットの目合いが８ｍｍよりも大きい場合は土砂が漏れやすくなる（こぼれ落ちやすくなる）おそれがあるからである。また、袋用ネットの素材は柔軟性と強度を兼ね備えた合成樹脂繊維からなることが好ましく、最適はポリプロピレンである。また、底部はフラットヤーンクロスなどのより強度の高い生地を用いて形成されていることが好ましい。さらに、袋本体の口部には１ｃｍ程度の大きな目合いを有するネットを連設し、開口部を閉じられるように形成することが好ましい。また、本発明では、内部に土砂を投入することにより自立可能な土嚢が形成されるように構成されている。すなわち、緑化土嚢袋内部に大量の土砂を投入することにより緑化土嚢が形成され、緑化土嚢は自立できるように構成されている。法面の所定の位置または河川堤防の所定の位置に例えば図４に示すように土留めを形成する場合、本発明の緑化土嚢袋によって形成された緑化土嚢を、施工個所に段々に重ねるように配置しても一つ一つの各緑化土嚢は置かれるだけで、それ自身の重力により自立設置可能であることから、「施工個所への固定のための部材が必要で、そのための手間も必要な自立不可」の土嚢に比べて、設置のための手間がかからず、簡単に設置できる等の利点がある。すなわち、自立不可の土嚢はこれらを積層しても、これらを例えば杭体で碇止する必要がある。ところで、本発明では、前記「自立可能な土嚢」を得るため、一般的な大型の土嚢に準じた寸法・形状を有する緑化土嚢袋を用いるのが好ましく、その緑化土嚢袋の形状としては、円筒形や直方体等を挙げることができ、例えば、直径が８００ｍｍ〜１２００ｍｍの底部および高さが６００ｍｍ〜１１００ｍｍの側面部を備えた図３に示すような有底円筒形の緑化土嚢袋から大型の土嚢が形成されうる。この場合、０．６５トン（ｔ）〜１．２トン（ｔ）の大量の土砂が投入される。なお、大量の土砂が投入されてなる本発明の大型の緑化土嚢の縦・横の比（縦：横）は１：０．８〜１：１．３が好ましい。縦・横の比において、縦を１としたときの横の値が０．８より小さい場合には、バランスが悪く自立して設置することが難しくなり、１．３より大きい場合には、設置面積に対して高さが稼げないため、所定の高さまで設置しようとしたときに段数を多く積む必要があり、手間とコストが過大に掛かってしまう可能性がある。
【００１１】
前記基布は植物が通芽可能な目合いを有する基材ネットまたは基材ネットと植物の通芽が可能なシートからなるので、植物の種子が通芽することを妨げることがなく、かつ、植物種子を袋本体の内側面の所定位置に保持することができる。また、基布を構成する基材ネットは絡み織りネットであることが好ましい。植物種子は土砂の内部に深く通根可能な植物の種子であると、植物の生長に伴って土砂内に通根することにより土嚢の強度を高めることができるので好ましい。
【００１２】
加えて、植物の通芽が可能なシートとは例えば基材ネットに絡ませてシート状に整形された薄綿であることが好ましいが、これに代えて水溶性のシート、水溶性の糊剤によってシート状に重合させた非水溶性の繊維や不織布であっても植物種子の通芽を妨げないものであればよい。
【００１３】
上記構成の緑化土嚢袋内に現地の土砂を投入することにより緑化土嚢を形成することができ、土留めや土塁を形成できると共に長期的には現地の緑化と、植物の根による土嚢の安定化を図ることができるので、景観保護に大いに寄与することができる。
【００１４】
前記植生シートは袋本体の内側面に水溶性の糊剤によって貼着してあってもよく、袋本体を構成するネットと植生シートの一体化を図ることができ、取り扱いが容易となる。すなわち、管理や運搬にかかるコストを引き下げることができる。土砂投入時には袋本体を構成するネットと植生シートの位置ズレを防止できるので、それだけ見栄えの良い土嚢を形成することができる。
【００１５】
また、水溶性の糊剤は降雨などによって容易に保持力を失うので植物種子の生育を妨げるものではなく、むしろ、糊剤が保水剤としての機能を果たしたり、植物の生育に用いることができる栄養分とすることもできる。
【００１６】
前記植生シートは、植物種子の内側面を覆うように植物が通根可能な保護シートを固着してなる場合（請求項２）には、袋本体に土砂を投入するときには植物種子を土砂による衝撃や、擦れによる脱落から守ることができる。なお、保護シートを前記植生シートの内側面に設けた場合には、袋本体に土砂を投入するときにおいて、土砂による前記植生シートの破損を保護シートによって軽減できる利点ある。
【００１７】
前記保護シートは例えば水で溶解可能なシートであり、このシートを水溶性の糊剤などによって貼着して固着することが好ましい。つまり、土砂が投入され土砂が保護シートに接触して水分を含むようになると水に溶解するので植物種子が容易に通根できる。水溶性の糊剤はポリビニルアルコールなど吸水ポリマーであることにより保水を行なうことができ、植物種子が生育しやすい環境を整えることができる。
【００１８】
一方、保護シートとして植物が通根可能な目合いを有する非水溶性のシートを用いることも可能である。この場合、保護シートを硬くて密なメッシュによって形成して、土砂の漏れ出しを確実にとどめるようにしてもよい。なお、保護シートの目合いは、１ｍｍ〜１５ｍｍが好ましく、３ｍｍ〜８ｍｍがより好ましい。目合いが３ｍｍよりも小さい場合は植物の通根を妨げやすくなるおそれがあり、一方、目合いが８ｍｍよりも大きい場合は土砂が漏れやすくなる（こぼれ落ちやすくなる）おそれがあるからである。
【００１９】
前記植生シートは袋本体の開口縁部においてのみ、脱落可能に固定してある場合（請求項３）には、植生シートは袋本体の開口縁部からいわばぶら下がっているだけであるから、土砂の投入時に袋本体との位置ズレを防止すると共に、植生シートが礫に挟まれるなどして土砂と共に引きずり込まれて過大な力がかかるときには袋本体から脱落することにより、植生シートの捩れや皺等による変形が生じにくく、袋本体が歪んで外観が悪くなることを防止できる。また、請求項３に記載の緑化土嚢袋を用いた緑化土嚢の形成方法であって、重機を用いて土砂を投入する際に、前記植生シートに過大な力がかかるときには、袋本体の開口縁部においてのみ脱落可能に固定してある固定箇所から植生シートが脱落し、それにより植生シートの捩れや皺等による変形が生じにくくなることを特徴としてある場合（請求項４）、重機を用いて土砂が投入されるので、一つの緑化土嚢袋に例えば１トン（ｔ）程度もの大量の土砂を投入することができ、自立可能な土嚢の形成が能率がよく行えるとともに、作業員による投入作業（土嚢詰めの作業）に比べてコスト安である。
【００２０】
また、植生シートは袋本体の開口縁部のみで袋本体に取付けられるものであるから、その製造コストを引き下げることができる。なお、袋本体に対する植生シートの取り付けはステープルによって簡易的に行なうことにより、ステープルが袋本体から外れることによっても植生シートが脱落可能であるのでより好ましい。袋本体に対する植生シートの取り付けは、ステープルの他に糸での縫合、接着剤等によっても可能である。  
【００２１】
前記植生シートは施工後に表となる面に配置され、下および裏となる面には配置しないことが好ましい。すなわち、植生シートを効率よく土嚢の表面に配置させて、無駄なく土嚢の緑化を図ることができる。また、袋本体内に土砂を投入する際も植生シートを設ける部分が小さいほど作業効率が良くなる。
【００２２】
請求項５の土留および緑化の方法では、例えば重機を用いて能率よく形成された自立可能な土嚢を、袋本体に備わっている吊り上げ用の吊ベルトを介して吊り上げて、法面の所定の位置または河川堤防の所定の位置に設置するので、土留めや土塁を早急に形成するのに適しており、さらに、長期的には現地の緑化を図り景観を良くすることもできるので好ましい。植物種子が発芽し通根すると、土砂内に植物の根が張ることにより土砂を止めることができるので、たとえ緑化土嚢袋が劣化して破れることがあったとしても土砂の流失を防止することができる。
【発明の効果】
【００２３】
前述したように、本発明によれば、法面の所定の位置または河川堤防の所定の位置に土留や土塁などを短期間の施工にて形成できると共に、施工後の現場に植物を生育させることにより緑化を図り、景観の向上を図ることができる。また、本発明は、緑化土嚢袋の内部に土砂を投入することにより自立可能な土嚢が形成されるように構成されており、法面の所定の位置または河川堤防の所定の位置に、本発明の緑化土嚢袋によって形成された土嚢は置かれるだけでそれ自身の重力により自立設置可能であることから、法面の所定の位置または河川堤防の所定の位置への固定のための部材が必要で、そのための手間も必要な自立不可の土嚢に比べて、設置のための手間がかからず、簡単に設置できる等の利点がある。
【図面の簡単な説明】
【００２４】
【図１】本発明の第１実施形態の緑化土嚢袋の例を示す図である。
【図２】前記緑化土嚢袋内に土砂を投入する方法を説明する図である。
【図３】形成された緑化土嚢袋の例を示す図である。
【図４】緑化土嚢を設置した状態を示す図である。
【図５】緑化土嚢を用いた緑化の例を示す図である。
【図６】第２実施形態の緑化土嚢袋の例を示す図である。
【図７】図６の緑化土嚢袋内に土砂を投入する状況を説明する図である。
【発明を実施するための形態】
【００２５】
以下、図１〜図７を用いて、本発明の第１実施形態に係る緑化土嚢袋１および緑化土嚢２を説明する。図１に示すように本発明の緑化土嚢袋１は、植物が通芽可能な目合いを有し土砂を投入するのに必要な強度を備える袋用ネットを用いて袋状に縫合して形成された袋本体３と、この袋本体３の内側面に沿うように配置させた植生シート４とを備える。
【００２６】
前記袋本体３は、例えば、フラットヤーンクロス等の強度の高い合成樹脂製の布材からなる直径１．１ｍの略円形の底部１０と、この底部１０の外周１０ａに縫合されることにより高さ１．１ｍの円筒状の側面部を形成する袋用ネット１１と、この側面部のネット１１の上端に連設するように縫合される粗目のシングルラッセルネットからなる絞り部１２と、幅１００ｍｍのポリプロピレン繊維からなるベルト１３ａを、前記底部１０の底面にその中心部において直角に交差させるように縫合し、前記側面部の袋用ネット１１に縦方向に縫合することにより、対向位置に一対（一方しか図示されていない）形成された吊りベルト１３とを備える。なお、１２ａは前記絞り部１２の上端部において形成された開口１２ｂの通し口に通して、開口１２ｂを一周するように設けたポリプロピレン繊維からなる絞りロープである。
【００２７】
一方、前記植生シート４は、一点鎖線によって囲った一部拡大図に示すように袋状ネット１１の内側面に配置させた基布１５の内側面に分散保持させた植物種子１６と、この植物種子１６の内側面を覆うように基布１５にポリビニルアルコールなどの水溶性の糊剤１７によって貼着してなる水で溶解可能または植物が通根可能な目合いを有する保護シート１８とからなる。
【００２８】
なお、本実施形態の基布１５は植物が通芽可能な目合いを有する絡み折りネットからなる基材ネット１５ａと、この基材ネット１５ａに絡ませてシート状に整形した薄綿１５ｂとを備えるものである。また、この植生シート４は袋本体を構成する側面部の袋用ネット１１の内側面に水溶性の糊剤１９などによって接着される。前記植物種子１６は現地植物の種子であることが望ましいが、投入される土砂内に通根しやすい植物が好ましく、緑化によって土壌の流亡を阻止する効果を期待できる洋芝といわれる、バミューダグラス、クリーピングレッドフェスク、ベントグラス類等を用いてもよい。さらに、水で溶解可能な保護シート１８は水溶性のシートのみならず、ヤシ繊維、ジュート繊維、生分解性プラスチックまたは光分解型のプラスチックの繊維を水溶性の糊剤などによって重合させたものであってもよい。
【００２９】
図２は前記緑化土嚢袋内に土砂を投入する工程を説明する図である。図２において、２０は緑化土嚢袋１の開口部１ａを広げて吊り下げた状態で保持する平面視略コ字状の支持枠、２１はこの支持枠２０の開いた側から土砂２２を投入する油圧ショベルなどの重機、２３は土砂２２を充填した後に開口部１ａを覆う植生シートである。なお、本実施形態の植生シート２３は前記植生シート４と同じ構成であるから、その詳細な説明を省略する。  
【００３０】
図２に示すように、緑化土嚢袋１は袋用ネット１１と絞り部１２の継ぎ目部分において、吊りフック２０ａが掛けられるように袋用ネット１１を補強してなる鳩目１１ａを形成しており、これより上部に位置する絞り部１２は外側に折り畳んだ状態で支持枠２０にセットするように構成している。
【００３１】
本発明の緑化土嚢袋は大型であるから、重機２１を用いて例えば１トン（ｔ）程度の大量の土砂２２を投入するように構成されており、土砂２２は例えば現地にて採取したものを用いることができる。すなわち、土留めや土塁を形成する現場に重機を持ち込むことにより、速やかに施工することができるように構成している。土砂２２を投入するときも植生シート４が袋用ネット１１の内側面に接着されているので、容易に投入可能であると共に、植物種子１６の内側を覆うように保護シート１８を配置しているため、土砂２２投入時の擦れなどによって植物種子１６が傷ついたり脱落することを防止できる。
【００３２】
土砂の投入が完了すると、開口部１ａに植生シート２３を水で溶解可能な保護シート１８が内側（すなわち下面）となるように被せ、前記吊りベルト１３を重機に引っかけて、前記吊りフック２０ａを取り外すことにより、重機２１によって緑化土嚢袋１を吊り上げることができる。
【００３３】
図３は前記支持枠２０から取り外された緑化土嚢袋１の状態を示しており、この緑化土嚢袋１の絞りロープ１２ａを引っ張って開口部１ａを絞ることにより、緑化土嚢袋１の開口部１ａを閉じて緑化土嚢２を容易に形成することができるように構成している。なお、このようにして形成された緑化土嚢２には、前記植生シート４を配置した部分によって、表面と裏面があり、施工部分への設置時において、その方向を現場に合わせることができる。
【００３４】
なお、上述の緑化土嚢袋１は使用前の運搬時には折りたたんで搬送可能であり、現場にて土砂を詰めることにより緑化土嚢袋２となるので、運搬に掛かるコストを削減できることはいうまでもない。
【００３５】
図４は緑化土嚢２を土留めとして形成した現場の状態を示す図である。図４に示すように、緑化土嚢２を横方向に密に並べ、奥行方向には緑化土嚢２の径の半分程度ずらして段々に重ねるように配置する。これによって植生シート４および植生シート２３が形成された部分を土留めまたは土塁の表面または上面に位置させることができる。
【００３６】
前記緑化土嚢２に収容された植生シート４および植生シート２３は何れも緑化土嚢２内に土砂２２が収容されることにより、植物種子１６が水で溶解可能な保護シート１８を介して土砂２２に接触する。したがって、降雨などの水によって溶解可能な保護シート１８が溶解するときに、土砂２２に植物種子１６が接触して発芽が容易となる。また、基布１５は植物が通芽可能な目合いを有するネットに薄綿を絡ませたものであるから、植物種子１６の発芽を妨げるものではなく、また、発芽した植物種子１６は成長すると袋用ネット１１も容易に通芽して成長することができる。
【００３７】
また、植物種子１６は元々基布１５の内側面に適度に分散させて取付けられた状態で保護シート１８によって保護されているので、土砂２２の投入時に植物種子１６が脱落することはなくほぼ均等に発芽することができる。さらに、植物種子１６の接着剤として用いられるポリビニルアルコールは親水性に優れ、ポリマー重合することにより吸水性も優れるので、保湿効果も期待することができる。
【００３８】
図５は緑化土嚢２を設置後数ヶ月が経過した状況を示す図である。図５に示すように、本実施形態の緑化土嚢２は施工後現地に放置するだけで、緑化土嚢２の表面および上面の至る所から植物２４が成長し、緑化土嚢２を用いた施工現地の緑化を図ることができ、この植物２４が成長することにより景観が良くなる。なお、成長した植物２４の根が緑化土嚢２の内部に張り延されることにより、その植物の根によって土砂２２の流出を防止できる。さらにその根が現地の地中に張り延されることにより、さらなる安定性の向上を期待することができる。
【００３９】
本例のように構成された植生シート４，２３は、土砂２２と接する内側面に保護シート１８を備え、また、袋用ネット１１の内側面に硬くて密なメッシュからなる基材ネット１５ａを配置することにより、土砂２２の漏れ出しを防止しながら、植物２４の通根を妨げることがない。また、通根した植物種子１６は通芽可能な目合いを有する袋用ネット１１の目合いから通芽できるので、その成長を妨げるものがない。
【００４０】
なお、本例のような硬くて密なメッシュからなる保護シート２５を用いる場合には、このメッシュを緑化土嚢袋１の側面部を構成する袋用ネット１１の内側面の全面に設けても良く、場合によっては底部１０の内側面にも設けてもよい。この場合、比較的柔らかで粗な袋用ネット１１によって植物種子１６が通芽可能であるように優しく保護すると共に、硬くて密なメッシュ状のネット２５によって、土砂２２から植物種子１６を守りながら土砂２２の流亡を確実に防止して土嚢としての機能を十分に保つと共に植物２４による緑化を効率よく達成することが可能となる。
【００４１】
図６、図７は本発明の第２実施形態を説明する図であり、図６は縦断面図、図７は土砂を投入する状態を説明する図である。図６，７において図１〜図５と同じ符号を付した部材は同一または同等の部材であるから、その詳細な説明を省略して重複説明を避ける。
【００４２】
図６において、３０は第２実施形態の緑化土嚢袋であって、その植生シート４は袋本体３の開口縁部３ａにおいてのみ袋本体３に、ステープル４ａによって止められる。このステープル４ａによる固定は、２ｋＮ／ｍ以上の過大な引っ張り強度がかかると脱落する程度の強度で行なわれるので、これによって土砂２２投入時の過大な力を吸収することができる。
【００４３】
図７に示す例は、土砂２２の投入時に礫などの偏りや挟み込みなどによって植生シート４に過大な引っ張り力（例えば２ｋＮ／ｍ以上の引っ張り力など）が掛かった状態を説明している。図７に示すように、植生シート４に過大な力が加わると、植生シート４に裂け目４ｂが発生する、またはステープル４ａが袋本体３から外れることによって、植生シート４は袋本体３の開口縁部３ａから部分的に脱落することにより、土砂２２が袋本体３内に均等に収まるように移動する。これによって、緑化土嚢袋３０を用いて形成される緑化土嚢の外形に植生シート４の捩れや引っ張りによる皺が現われることを防止し、見栄えを良くすることができる。
【符号の説明】
【００４４】
１，３０  緑化土嚢袋
２  緑化土嚢
３  袋本体
３ａ  開口縁部
４，２３  植生シート
１１  袋用ネット
１３  吊りベルト
１５  基布
１５ａ  基材ネット
１５ｂ  薄綿（シート）
１６  植物種子
１７  糊剤
１８  保護シート
２２  土砂
２４  植物
【図１】
2015232265.tif 000003
【図２】
2015232265.tif 000004
【図３】
2015232265.tif 000005
【図４】
2015232265.tif 000006
【図５】
2015232265.tif 000007
【図６】
2015232265.tif 000008
【図７】
2015232265.tif 000009